(57)【要約】【課題】バックカバーが正規位置に装着されたか否かを簡単にかつ確実に確認できるようにする。【解決手段】雌ハウジング２０の後端部の外周には係止突部３５が設けられる一方、ゴム栓押さえ５０の周縁に弾性係止片５５が装着方向に延びて設けられ、弾性係止片５５に係止溝５６が後端に開口した形態で形成される。ゴム栓押さえ５０は、弾性係止片５５が係止突部３５に乗り上げて撓み変位しつつ装着され、正規位置まで押し込まれた場合に弾性係止片５５が復元変位して係止突部３５が係止溝５６に係止して抜け止めされる。雌ハウジング２０の後面における係止突部３５から後方に延出された位置に、係止溝５６の後端開口５７に嵌合可能で、かつゴム栓押さえ５０が雌ハウジング２０の後面に対して正規装着されて初めて後端開口５７から後方に突出する確認用突起６０が設けられる。【選択図】図８
2012018802.tif 000002
【特許請求の範囲】
【請求項１】
ハウジングと、このハウジングの後面を覆って装着されるバックカバーとが備えられ、
前記ハウジングの後端部の外周には係止突部が設けられる一方、前記バックカバーの周縁には弾性係止片が当該バックカバーの装着方向に延びて設けられ、この弾性係止片には、前記係止突部に係止可能な係止溝が後端に開口した形態で形成されており、
前記バックカバーは、前記弾性係止片の先端が前記係止突部に乗り上げて撓み変位しつつ装着され、正規位置まで押し込まれた場合に前記係止溝の先端が前記係止突部を通過することにより同弾性係止片が復元変位して前記係止突部が前記係止溝の先端に係止して抜け止めされるようにしたコネクタにおいて、
前記ハウジングの後面における前記係止突部から後方に延出された位置には、前記係止溝の後端開口に嵌合可能で、かつ前記バックカバーが前記ハウジングの後面に対して正規装着されて初めて前記係止溝の後端開口から後方に突出する確認用突起が設けられていることを特徴とするコネクタ。
【請求項２】
前記ハウジングの前記係止突部と、前記バックカバーの前記弾性係止片の組が、２以上の複数組周方向に間隔を開けて設けられており、各組ごとに前記確認用突起が設けられていることを特徴とする請求項１記載のコネクタ。
【請求項３】
前記バックカバーが、前記ハウジングの後面を覆う後面板の周縁から周壁を立てたキャップ形をなし、前記周壁に自由端側から入れられた一対のスリットの間に前記弾性係止片が形成され、前記係止溝は、前記弾性係止片の先端部から同弾性係止片の基端部に続く前記後面板の周縁に向けて形成され、同後面板の周縁に開口した部分が前記係止溝の後端開口となっているとともに、前記確認用突起は、前記ハウジングの後面の周縁に形成されていることを特徴とする請求項１または請求項２記載のコネクタ。
【請求項４】
前記確認用突起の突出端では、内面側が突出端に向けて次第に薄肉となるテーパ状に形成されていることを特徴とする請求項３記載のコネクタ。
【請求項５】
前記バックカバーは、前記ハウジングの後面に嵌着されたゴム栓を押さえるゴム栓押さえとして機能するものであることを特徴とする請求項１ないし請求項４のいずれか一項に記載のコネクタ。
【発明の詳細な説明】
【技術分野】
【０００１】
本発明は、ハウジングの後面に装着されるバックカバーの装着確認機能を備えたコネクタに関する。
【背景技術】
【０００２】
この種のバックカバーを備えたコネクタとして、特許文献１に示すように、一括ゴム栓を用いた防水コネクタが知られている。この防水コネクタは、電線の端末に接続された端子金具が収容されるキャビティを複数列設してなるハウジングの後端部に、各キャビティと対応して電線挿通孔を開口した一括ゴム栓が嵌着され、この一括ゴム栓が、ハウジングの後端部に装着されたキャップ形のゴム栓押さえで外れ止めされるようになっている。ゴム栓押さえのロック構造は、ハウジングの後端部における外周面の互いに反対側の二面に係止突部が設けられる一方、ゴム栓押さえの対応した二周壁の端縁から、係止孔を有する弾性係止片が突設され、ゴム栓押さえは、弾性係止片の先端が係止突部に乗り上げて撓み変位しつつハウジングの後端部に外嵌され、正規位置まで押し込まれたところで、弾性係止片が復元変位しつつ係止突部が係止孔に嵌ることで抜け止めされるようになっている。
【先行技術文献】
【特許文献】
【０００３】
【特許文献１】特開２００４−３９５８４号公報
【発明の概要】
【発明が解決しようとする課題】
【０００４】
ところで上記従来の防水コネクタでは、ゴム栓押さえをハウジングの後端部に外嵌する場合に、一括ゴム栓が傾いて嵌着されている場合等によってゴム栓の後面の一部が後方に張り出し、ゴム栓押さえが外嵌された場合に、ゴム栓の張り出した部分に当たる等によって嵌合操作が途中で中止され、例えば両ロックのうち一方では正規にロックされるものの、他方では半嵌合状態に留め置かれてしまうことがあり得る。そうすると、ゴム栓押さえが外れる不具合を招くおそれがあるため、その対策が切望されていた。  
本発明は上記のような事情に基づいて完成されたものであって、その目的は、バックカバーが正規位置に装着されたか否かを簡単にかつ確実に確認できるようにするところにある。
【課題を解決するための手段】
【０００５】
本発明は、ハウジングと、このハウジングの後面を覆って装着されるバックカバーとが備えられ、前記ハウジングの後端部の外周には係止突部が設けられる一方、前記バックカバーの周縁には弾性係止片が当該バックカバーの装着方向に延びて設けられ、この弾性係止片には、前記係止突部に係止可能な係止溝が後端に開口した形態で形成されており、前記バックカバーは、前記弾性係止片の先端が前記係止突部に乗り上げて撓み変位しつつ装着され、正規位置まで押し込まれた場合に前記係止溝の先端が前記係止突部を通過することにより同弾性係止片が復元変位して前記係止突部が前記係止溝の先端に係止して抜け止めされるようにしたコネクタにおいて、前記ハウジングの後面における前記係止突部から後方に延出された位置には、前記係止溝の後端開口に嵌合可能で、かつ前記バックカバーが前記ハウジングの後面に対して正規装着されて初めて前記係止溝の後端開口から後方に突出する確認用突起が設けられているところに特徴を有する。
【０００６】
バックカバーがハウジングの後面に装着され、装着動作の終盤になると、確認用突起が弾性係止片の係止溝の後端開口には嵌るものの、正規位置に押し込まれるまでは後端開口に留まり、正規位置に至って係止される状態となって初めて、確認用突起が係止溝の後端開口から後方に突出する。確認用突起が係止溝の後端開口から後方に突出しているか否かを目視若しくは触感で判断することにより、バックカバーが正規位置に装着され、すなわち正規に抜け止めされているか否かを簡単にかつ確実に確認することができる。
【０００７】
また、以下のような構成としてもよい。  
（１）前記ハウジングの前記係止突部と、前記バックカバーの前記弾性係止片の組が、２以上の複数組周方向に間隔を開けて設けられており、各組ごとに前記確認用突起が設けられている。  
バックカバーの形状等の条件によっては、バックカバーの係止部位が２以上の複数箇所設けられている場合があり、その場合は、他の箇所は正規に係止されているものの、１箇所だけが係止されていないということがあり得る。そのような場合において、すべての係止部位において確認用突起が突出していることが目視若しくは触感で判断できれば、バックカバーがすべての係止部位で係止されて正規に抜け止めされた形態で装着されていることが確認できる。
【０００８】
（２）前記バックカバーが、前記ハウジングの後面を覆う後面板の周縁から周壁を立てたキャップ形をなし、前記周壁に自由端側から入れられた一対のスリットの間に前記弾性係止片が形成され、前記係止溝は、前記弾性係止片の先端部から同弾性係止片の基端部に続く前記後面板の周縁に向けて形成され、同後面板の周縁に開口した部分が前記係止溝の後端開口となっているとともに、前記確認用突起は、前記ハウジングの後面の周縁に形成されている。
【０００９】
バックカバーが正規に装着されているか否かを確認する場合、確認用突起の突出長さが大きい程、目視にしろ触感にしろ突出していることが判断しやすいが、突出長が大きいと、正規装着に近い状態でも確認用突起が顔を出す可能性が大きい。  
その点本発明では、正規装着の手前で弾性係止片が係止突部に乗り上げて弾性撓みしている際、弾性係止片の後端から続いている後面板の周縁も開くように撓んで、係止溝の後端開口の位置が後方に移動し、係止突部が隠される領域が広がる。そののちバックカバーが正規位置まで押し込まれると、弾性係止片ともども後面板の周縁が元位置に復元し、確認用突起が係止溝の後端開口から後方に一挙に大きく突出する。  
誤確認を防止した上で、確認用突起の突出状況の判断がよりしやすくなる。
【００１０】
（３）前記確認用突起の突出端では、内面側が突出端に向けて次第に薄肉となるテーパ状に形成されている。  
確認用突起の突出端について全体としては突出長さが大きくなるも内面側がテーパ状となった形状とすると、バックカバーが正規装着される手前で、弾性係止片ともども後面板の周縁が開くように撓んでいる際において、確認用突起の突出端が係止溝の後面開口内にすっぽりと隠れやすい。確認用突起の突出長さをさらに大きく採って、確認用突起の突出状況の判断をさらに確実に行うことができる。
【００１１】
（４）前記バックカバーは、前記ハウジングの後面に嵌着されたゴム栓を押さえるゴム栓押さえとして機能するものである。  
バックカバーがゴム栓押さえの場合、高速洗浄等を行った際に、水が弾性係止片における係止溝の後端開口からゴム栓押さえの内部に浸入し、ゴム栓を変形させつつハウジング内に浸入するおそれがある。その点、係止溝の後端開口に確認用突起が嵌合される構造であるから、係止溝の後端開口を通した浸水が極力抑えられ、さらに防水機能に優れたものとなる。
【発明の効果】
【００１２】
本発明によれば、バックカバーが正規位置に装着されたか否かを簡単にかつ確実に確認することができる。
【図面の簡単な説明】
【００１３】
【図１】本発明の一実施形態に係る雌コネクタの分解斜視図
【図２】雌ハウジングの平面図
【図３】同背面図
【図４】ゴム栓押さえの平面図
【図５】同底面図
【図６】ゴム栓押さえの装着前の状態の斜視図
【図７】その正面図
【図８】その縦断面図
【図９】ゴム栓押さえが正規に装着される前の状態を示す縦断面図
【図１０】ゴム栓押さえが装着された状態の斜視図
【図１１】その正面図
【図１２】その縦断面図
【図１３】その平面図
【図１４】弾性係止片が係止突部に係止する直前の状態を示す部分断面図
【図１５】弾性係止片が係止突部に係止した状態を示す部分断面図
【図１６】雌雄のコネクタが嵌合された状態の縦断面図
【発明を実施するための形態】
【００１４】
＜実施形態＞
本発明の一実施形態を図１ないし図１６に基づいて説明する。  
本実施形態では、雌側の防水型シールドコネクタＦ（以下、雌コネクタＦという）を例示している。雌コネクタＦは、図１に示すように、シールド電線１０の端末に接続された雌端子１６が収容される雌ハウジング２０と、同雌ハウジング２０の後端部に嵌着される一括型のゴム栓４０と、同ゴム栓４０を外れ止めするゴム栓押さえ５０とを具備している。
【００１５】
シールド電線１０は、図８に示すように、内部から順次に芯線１１、内皮１２、編組線１３及び外皮１４を同心に配した構造である。シールド電線１０における露出された芯線１１の端末には、相手の雄端子７２（図１６参照）との接続部１６Ａを有する雌端子１６が圧着により接続されている。一方、編組線１３の端末が外皮１４の端末に反転して重ねられ、同編組線１３の外周に、金属製のシェルリング１７が下敷きリング１８を介してかしめられて固着されている。このように雌端子１６とシェルリング１７とを端末に接続したシールド電線１０が、３本備えられている。
【００１６】
雌ハウジング２０は合成樹脂製であって、図２、図３及び図８にも示すように、全体としてやや扁平で前後方向に長い概ねブロック状をなす端子収容部２１を有しているとともに、同端子収容部２１の前半部の外周には、一回り大きいフード部２２が前方に開口して形成されている。なお、端子収容部２１における短辺側の一側面の外面には、相手の雄ハウジング７０（図１６参照）との間で正規嵌合したか否かを検知するインターロック用の端子金具（図示せず）を収容する補助端子収容部２４が張り出し形成され、同補助端子収容部２４を避けるようにして、フード部２２の幅方向の一側が側方に延びた形状とされている。言い換えると、端子収容部２１とフード部２２とは偏心位置に配されている。また、フード部２２における一方の長辺側の面における幅方向の中央部には、相手の雄ハウジング７０との間を嵌合状態にロックするロック機構部２６が形成されている。
【００１７】
雌ハウジング２０の端子収容部２１内には、前後両面に開口した図示３本のキャビティ２８が、横方向に並んで形成されている。キャビティ２８は、図８に示すように、前端側が小径部２９Ａで、後端側が大径部２９Ｂとなった段付き形状となっている。また、端子収容部２１の後端側の所定深さ領域には、ゴム栓収容室３０が、全キャビティ２８の大径部２９Ｂの後面と連通するようにほぼ全面に亘って凹み形成されている。
【００１８】
端子収容部２１内には、シールドシェル３１が嵌着されている。シールドシェル３１は全体として扁平な角筒形に形成され、その前半部が端子収容部２１の外周部に埋設され、さらにその前端が端子収容部２１における段差状に縮径された段差部２１Ａの外周面に露出しているとともに、後半部が、大径部２９Ｂの内周面の内側に突出している。後半部には、各キャビティ２８の後方に対応する位置ごとに、一対の接点部３２が対向して設けられている。
【００１９】
各シールド電線１０の端末に接続された雌端子１６は、雌ハウジング２０の端子収容部２１に形成された対応するキャビティ２８内に後面側から挿入され、小径部２９Ａ内の正規位置まで押し込まれると、同小径部２９Ａに設けられたランス３４（図２参照）に係止して抜け止めされる。それに伴いシェルリング１７が大径部２９Ｂ内に挿入され、同大径部２９Ｂ内に配された一対の接点部３２の間に割って入って弾性的に挟持され、すなわち編組線１３がシェルリング１７を介してシールドシェル３１に接続されるようになっている。
【００２０】
ゴム栓４０は、上記したように一括型であって、雌ハウジング２０の端子収容部２１における後端部に穿設されたゴム栓収容室３０内にすっぽりと嵌合されるべく外形形状と厚さとを備えている。ゴム栓４０の外周面には、ゴム栓収容室３０の内周面に密着する図示３条の外周リップ４１が周設されている。ゴム栓４０には、シールド電線１０を緊密に挿通可能とした３個の電線挿通孔４２が、上記した各キャビティ２８と対応した位置ごとに横方向に並んで形成されており、各電線挿通孔４２の内周面には、シールド電線１０（外皮１４）の外周面に密着する図示２条の内周リップ４３が周設されている。
【００２１】
ゴム栓収容室３０に装着されたゴム栓４０は、ゴム栓押さえ５０により抜け止めされて保持されるようになっている。  
ゴム栓押さえ５０は合成樹脂製であって、上記した雌ハウジング２０の端子収容部２１における後端部にすっぽりと外嵌されるキャップ形をなし、より詳細には、図７及び図８に示すように、ゴム栓収容室３０の後面開口の全面を覆う後面板５１の周縁から、端子収容部２１の後端部の外周面におけるゴム栓収容室３０の奥面よりもさらに深い領域に亘って緊密に外嵌される周壁５２を立ち上がり形成した形状である。ゴム栓押さえ５０の後面板５１の中央部には、雌ハウジング２０の各キャビティ２８から引き出された３本のシールド電線１０を揃って挿通可能とした長孔状の開口部５３が形成されている。
【００２２】
ゴム栓押さえ５０のロック構造について説明する。雌ハウジング２０の端子収容部２１における後端部の外周面には、図示３個の係止突部３５が形成されている。係止突部３５の形成箇所は、図１及び図３に示すように、長辺側の一方の側面（ロック機構部２６が設けられた側とは反対側の面）では幅方向の両端部、他方の側面（ロック機構部２６が設けられた側の面）では、ロック機構部２６から外れた位置である幅方向の一端部の都合３箇所であって、前後方向ではゴム栓収容室３０の奥面よりも少し前方に入り込んだ位置に形成されている。  
各係止突部３５は前後方向にやや長い形状であって、前面（図８の下面）が切り立った係止面３６で、後面が、前方に向けて上り勾配のテーパ状をなすガイド面３７となっている。
【００２３】
なお、長辺側の他方の側面における上記の係止突部３５が設けられた端部とは反対側の端部では、係止突部３５の形成が割愛された形態となっているが、これは同位置がロック機構部２６と前後方向において干渉していて、型抜きの関係から成形上の困難性を伴うためであり、ロック機構部２６の形成位置やその幅寸法等の条件からロック機構部２６と干渉しない配置関係となれば、同位置に係止突部３５を設けてもよい。この仮想的な係止突部３５を含めた４個の係止突部３５は、端子収容部２１の中心について点対称位置に配されることになる。
【００２４】
一方のゴム栓押さえ５０では、長辺側の両周壁５２の両端部ごとの都合４箇所に、係止突部３５に弾性的に係止可能な弾性係止片５５が形成されている。４枚の弾性係止片５５は、上記した係止突部３５の形成位置と対応して、同ゴム栓押さえ５０の中心について点対称位置に配されている。このように、３個の係止突部３５が形成されているのに対して、４枚の弾性係止片５５が形成されているのは、ゴム栓押さえ５０が１８０度回動された２姿勢のいずれの回動姿勢で装着された場合にも、３個の係止突部３５による係止機能を発揮できるようにするためである。
【００２５】
各弾性係止片５５は、周壁５２の前縁から後面板５１の少し手前の位置まで切り込まれた一対のスリット５５Ａの間の部分によって形成され、前縁が自由端となって内外に撓み変位可能な片持ち状に形成されている。各弾性係止片５５には、対応する係止突部３５を嵌めて係止する係止溝５６が形成されている。係止溝５６は、弾性係止片５５の先端から所定寸法入った位置から基端側に延び、さらに成形時の型抜きの関係から後面板５１の周縁部にまで回り込んでいる。この係止溝５６における後面板５１の周縁部にまで回り込んだ後端部が後端開口５７であり、正に後方に向けて開口している。一方、係止溝５６の先端面が被係止面５８となっている。
【００２６】
ゴム栓押さえ５０が雌ハウジング２０の端子収容部２１の後端部に外嵌されると、その押し込み工程の終盤では、弾性係止片５５の先端が対応する係止突部３５に乗り上げて撓み変位しつつ押し込まれ、後面板５１が端子収容部２１の後面に当たる正規位置まで押し込まれると、係止溝５６の被係止面５８が係止突部３５を通過することにより同弾性係止片５５が元姿勢に復元変位し、係止溝５６の被係止面５８が係止突部３５の係止面３６と対向して抜け方向に係止されるようになっている。
【００２７】
さて、上記した雌ハウジング２０の端子収容部２１の後面側には、ゴム栓押さえ５０に設けられた弾性係止片５５が相手の係止突部３５に正規に係止されたか否かを確認するための確認用突起６０が設けられている。  
確認用突起６０は都合４本設けられ、雌ハウジング２０の端子収容部２１の後端縁、より詳細にはゴム栓収容室３０の周壁３０Ａの後端縁における外周寄りの位置で、かつ、係止突部３５の形成位置（仮想の形成位置も含む）から後方に延ばされた位置ごとに立ち上がり形成されている。
【００２８】
言い換えると、確認用突起６０と係止突部３５とは、雌ハウジング２０の軸線に沿った同一線上において上下に離間して配置されている。これは後記するように、確認用突起６０をゴム栓押さえ５０の後面側に突出させるのに、弾性係止片５５の係止溝５６を利用できるようにするためである。  
確認用突起６０が係止突部３５とは同一線上に無くても、ゴム栓押さえ５０の後面側に突出させる構造を採ることは可能であるが、その場合は、既設の弾性係止片５５の係止溝５６とは別に突出を許容する部分を形成する必要があって、ゴム栓押さえ５０の構造の複雑化を招くおそれがあり、上記のように、確認用突起６０と係止突部３５とを同一線上に配することで、既設のゴム栓押さえ５０をそのまま利用可能とし、すなわちゴム栓押さえ５０構造が複雑化するのを回避している。
【００２９】
確認用突起６０はより詳細には、上記した弾性係止片５５の係止溝５６の後端開口５７に嵌合可能であって、ゴム栓押さえ５０が正規に装着された場合において、確認用突起６０の突出端が後端開口５７から所定寸法突出する所定高さを持って形成されている。また確認用突起６０の突出端では、図１４に示すように、その内面側が突出端に向けて次第に薄肉となるテーパ面６２とされている。
【００３０】
確認用突起６０の高さは、以下のように設定されている。ゴム栓押さえ５０の嵌合途中では、弾性係止片５５の先端部が係止突部３５に乗り上げることで、先端側が外側に開くように撓み変位するが、それに伴い同弾性係止片５５の基端部に繋がった後面板５１の周縁部も、後方に捲られるように撓み変位する。  
図１４に示すように、弾性係止片５５の係止溝５６における被係止面５８が係止突部３５を通過する直前が、半嵌合状態ではゴム栓押さえ５０の後面板５１が最も前進していると言えるが、上記のように係止溝５６の後端開口５７が形成された後面板５１の周縁部が捲れる方向に最も弾性撓みしているから、それだけ確認用突起６０の突出端を隠せる領域が稼げることになる。また、後面板５１の周縁部の傾斜姿勢に倣うようにして、確認用突起６０の突出端にテーパ面６２が形成されていることにより、これも確認用突起６０の突出端を隠すことに寄与している。
【００３１】
すなわち確認用突起６０の高さは、図１４に示すように、ゴム栓押さえ５０の弾性係止片５５が係止突部３５を通過する直前にある場合において、確認用突起６０の突出端がなお後端開口５７内に留まっている程度の高さに設定されている。  
ゴム栓押さえ５０が正規位置まで押し込まれると、弾性係止片５５の係止溝５６の被係止面５８が係止突部３５を通過することで、弾性係止片５５が元姿勢に復元変位して係止突部３５に係止するが、そのとき図１５に示すように、後面板５１が正規の最前方位置に押し込まれるとともに、フラットな姿勢に変位するから、確認用突起６０の突出端が後端開口５７の後面から後方に突出することとなる。  
言い換えると、ゴム栓押さえ５０が正規に嵌合されて弾性係止片５５が係止突部３５に係止されて初めて、当該係止箇所に設けられた確認用突起６０の突出端が、係止溝５６の後端開口５７から後方に突出するようになっている。
【００３２】
続いて、本実施形態の作用を説明する。  
図１に示すように、３本のシールド電線１０に対してゴム栓押さえ５０及び一括型のゴム栓４０が先通しされ、その後、各シールド電線１０の端末に、既述したように雌端子１６とシェルリング１７とが接続される。  
係る状態から各シールド電線１０の端末の雌端子１６が、雌ハウジング２０の端子収容部２１に設けられた対応するキャビティ２８に後方から挿入され、雌端子１６が小径部２９Ａ内に正規位置まで挿入されると、ランス３４に係止されて抜け止め状態に収容され、併せてシェルリング１７がシールドシェル３１に設けられた一対の接点部３２の間に割って入って接続され、編組線１３がシールドシェル３１と電気的に接続された状態となる。
【００３３】
３本すべてのシールド電線１０の端末の雌端子１６並びにシェルリング１７が、雌ハウジング２０の対応するキャビティ２８内に収容されたら、ゴム栓４０がシールド電線１０に沿って雌ハウジング２０側に移動され、図６ないし図８に示すように、ゴム栓４０が端子収容部２１の後面に設けられたゴム栓収容室３０に緊密に嵌着される。
【００３４】
ゴム栓４０が装着されたら、ゴム栓押さえ５０が同じくシールド電線１０に沿って雌ハウジング２０側に移動され、端子収容部２１の後端部の外側に嵌合される。ゴム栓押さえ５０は、その周壁５２が端子収容部２１の後端部の外周面に摺接しつつ押し込まれ、嵌合動作の終盤になると、図９に示すように、４本あるうちの３本の弾性係止片５５の先端が、対応する係止突部３５のガイド面３７に沿って押し込まれ、弾性係止片５５が外方に撓み変形しつつ係止突部３５に乗り上げる。  
そのとき、端子収容部２１の後面に立てられた確認用突起６０が、係止溝５６の後端開口５７に嵌るが、ゴム栓押さえ５０が正規位置まで押し込まれるまでは、後面板５１が端子収容部２１の後面よりも後方に離れており、また弾性係止片５５が撓み変位していることに伴って後端開口５７の形成位置が捲れ上がった状態にあることから、確認用突起６０の突出端は後端開口５７に留まる。
【００３５】
ゴム栓押さえ５０が正規位置まで押し込まれると、弾性係止片５５の係止溝５６の先端の被係止面５８が、係止突部３５の係止面３６を超えるから、図１２に示すように、弾性係止片５５が復元変形しつつ係止突部３５が係止溝５６に嵌って係止され、すなわちロックが掛かる。このようにロックが掛かった状態では、後面板５１が端子収容部２１に最も接近し、かつ後端開口５７の形成位置もフラットな状態に戻り、すなわち後端開口５７が最前進位置に移動することから、同後端開口５７に留まっていた確認用突起６０の突出端の所定長さが後端開口５７から後方に突出した状態となる。なお、ゴム栓押さえ５０が正規位置まで押し込まれた際、係止突部３５が設けられていない箇所と対応する弾性係止片５５についても、係止溝５６の後端開口５７から確認用突起６０の先端が突出した状態となる。
【００３６】
したがって、ゴム栓押さえ５０の装着動作を終えたのち、ゴム栓押さえ５０の後面板５１の外面を目視し、４本の確認用突起６０が突出していたら、ゴム栓押さえ５０が正規に装着されて３箇所すべての係止箇所でロックが掛かったことが確認される。  
なお、確認用突起６０の突出状況を目視により判断する場合は、ゴム栓押さえ５０５０の後面板５１の外面を側方から視ることが有効であるが、そのような視認手段が取れない場合は、後面板５１の外面に指を触れ、すなわち触感によって確認用突起６０の突出状況を判断するようにしてもよい。
【００３７】
ここで、ゴム栓押さえ５０を端子収容部２１の後端部に外嵌する場合に、何らかの事情によって、ゴム栓押さえ５０が全面に亘って真直に押し込めず、例えば３箇所ある係止箇所のうち２箇所では弾性係止片５５が対応する係止突部３５に正規に係止する一方、残りの１箇所では、弾性係止片５５が対応する係止突部３５に乗り上げたままの状態に留め置かれ、すなわち半嵌合状態に留められることがあり得る。このように、弾性係止片５５が半嵌合状態にある場合には、図９に示すように、その係止箇所では、確認用突起６０が係止溝５６の後端開口５７内に未だ留まった状態にある。  
なお、係止突部３５が設けられていない箇所と対応する弾性係止片５５の配設位置では、ゴム栓押さえ５０の押し込み量や傾きによって、確認用突起６０が後端開口５７から突出している場合もいない場合もあり得る。
【００３８】
いずれにしても、ゴム栓押さえ５０の装着動作を終えたのちその後面板５１の外面を目視したり指で触れたりした際に、４本すべての確認用突起６０が突出していることが確認できない限りは、弾性係止片５５が半嵌合状態にあり、すなわちロックが掛かっていない箇所があるおそれがある。その場合は、ゴム栓押さえ５０の後面板５１における確認用突起６０が突出していない後面開口５７の付近を改めて押し込むと、半嵌合状態にあった弾性係止片５５が押し込まれて対応する係止突部３５に係止しすなわちロックされ、それに伴い引っ込んでいた確認用突起６０が後端開口５７から突出する。改めて後面板５１の外面を目視したり指で触れたりして、４本すべての確認用突起６０が突出していることが確認できれば、ゴム栓押さえ５０が正規に装着されて３箇所すべての係止箇所でロックが掛かった状態に修正されたことが確認される。
【００３９】
このように雌コネクタＦについてゴム栓押さえ５０が正規に装着されたら、図１６に示すように、例えば機器に直結された相手の雄側のシールドコネクタＭと嵌合される。雌雄のハウジング２０，７０が正規嵌合されたら、雌雄のロック機構部２６，７１によって両ハウジング２０，７０が嵌合状態にロックされ、このとき雌ハウジング２０に収容された３本の雌端子１６が、雄ハウジング７０に収容された対応する雄端子７２と嵌合接続されるとともに、雌ハウジング２０側のシールドシェル３１と、雄ハウジング７０に装着されたシールドシェル７３の突き合わせ端縁同士が接続されて繋がり、雌雄の端子金具１６，７２の接続部分の回りをシールドするようになっている。
【００４０】
以上のように本実施形態によれば、弾性係止片５５と係止突部３５の組からなる各係止箇所ごとに、同弾性係止片５５が対応する係止突部３５に正規に係止して初めて同弾性係止片５５に形成された係止溝５６の後端開口５７から突出する確認用突起６０が設けられている。そのため、ゴム栓押さえ５０の装着作業後に、ゴム栓押さえ５０の後面において確認用突起６０が係止溝５６の後端開口５７から突出しているか否かを目視若しくは触感で判断することにより、ゴム栓押さえ５０が正規位置に装着され、すなわち各係止箇所において正規に抜け止めされているか否かを簡単にかつ確実に確認することができる。
【００４１】
ゴム栓押さえ５０が正規に装着されているか否かを確認する場合、確認用突起６０の突出長さが大きい程、目視にしろ触感にしろ突出していることが判断しやすいが、突出長が大きいと、正規装着に近い状態でも確認用突起６０が顔を出す可能性が大きい。  
その点本実施形態では、正規装着の手前で弾性係止片５５が係止突部３５に乗り上げて弾性撓みしている際、弾性係止片５５の後端から続いている後面板５１の周縁も開くように撓んで、係止溝５６の後端開口５７の位置が後方に移動し、係止突部３５が隠される領域が広がる。そののちゴム栓押さえ５０が正規位置まで押し込まれると、弾性係止片５５ともども後面板５１の周縁が元位置に復元し、確認用突起６０が係止溝５６の後端開口５７から後方に一挙に大きく突出するように作用する。誤確認を防止した上で、確認用突起６０の突出状況の判断がよりしやすくなる。
【００４２】
確認用突起６０の突出端について全体としては突出長さが大きくなるも内面側がテーパ面６２とされた形状とすると、ゴム栓押さえ５０が正規装着される手前で、弾性係止片５５ともども後面板５１の周縁が開くように撓んでいる際において、確認用突起６０の突出端が係止溝５６の後端開口５７内にすっぽりと隠れやすい。確認用突起６０の突出長さをさらに大きく採って、確認用突起６０の突出状況の判断をさらに確実に行うことができる。
【００４３】
本実施形態の雌コネクタＦは防水コネクタであるが、例えば高速洗浄を行った際に、水が弾性係止片５５における係止溝５６の後端開口５７からゴム栓押さえ５０の内部に浸入し、ゴム栓４０を変形させつつ雌ハウジング２０内に浸入するおそれがある。その点本実施形態では、係止溝５６の後端開口５７に確認用突起６０が嵌合される構造であるから、係止溝５６の後端開口５７を通した浸水が極力抑えられ、さらに防水機能に優れたものとなる。
【００４４】
＜他の実施形態＞
本発明は上記記述及び図面によって説明した実施形態に限定されるものではなく、例えば次のような実施形態も本発明の技術的範囲に含まれる。  
（１）確認用突起を備えた弾性係止片と係止突部との組は、上記実施形態に例示した３組に限らず、２組以上の任意の複数組であってよい。  
（２）確認用突起の高さを設定するに当たっては、弾性係止片と係止突部が正規嵌合した場合を、どの程度の半嵌合状態と区別したいかを勘案し、この選定した半嵌合状態では確認用突起が係止溝の後端開口に留まり、正規嵌合して初めて確認用突起が係止溝の後端開口から後方に突出するような高さに設定すればよい。
【００４５】
（３）ゴム栓押さえの形状としては、周壁を有しない単にゴム栓の後面を覆うようなフラットな板状であって、同板面の周縁から弾性係止片を突出形成した形状であってもよい。  
（４）上記実施形態では、バックカバーとしてゴム栓押さえを例示したが、その他、電線のハウジングからの導出方向を変更させるべくハウジングの後面に装着される電線カバーや、ハウジング内に収容された端子金具に二重係止するべくハウジングの後面に装着されるバックリテーナ等、要はハウジングの後面を覆って装着されるバックカバーを備えたコネクタ全般について本発明は適用することが可能である。
【符号の説明】
【００４６】
Ｆ…雌コネクタ（コネクタ）
２０…雌ハウジング（ハウジング）
２１…端子収容部
３０…ゴム栓収容室
３５…係止突部
４０…ゴム栓
５０…ゴム栓押さえ（バックカバー）
５１…後面板
５２…周壁
５５…弾性係止片
５５Ａ…スリット
５６…係止溝
５７…後端開口
５８…被係止面
６０…確認用突起
６２…テーパ面
【図１】
2012018802.tif 000003
【図２】
2012018802.tif 000004
【図３】
2012018802.tif 000005
【図４】
2012018802.tif 000006
【図５】
2012018802.tif 000007
【図６】
2012018802.tif 000008
【図７】
2012018802.tif 000009
【図８】
2012018802.tif 000010
【図９】
2012018802.tif 000011
【図１０】
2012018802.tif 000012
【図１１】
2012018802.tif 000013
【図１２】
2012018802.tif 000014
【図１３】
2012018802.tif 000015
【図１４】
2012018802.tif 000016
【図１５】
2012018802.tif 000017
【図１６】
2012018802.tif 000018